(57)【要約】【課題】  遊技制御手段の制御負担を軽減しつつ、多彩な演出画像を表示することができる遊技機を提供する。【解決手段】  表示制御部は、遊技制御部から所定のコマンドを受信した場合に、そのコマンドに対応して予め設定された複数種類の背景画像のうち特別図柄表示装置に表示させる背景画像の種類を選択する（Ｓ６０５）と共に、所定の背景画像が選択された場合に該背景画像に対応して設定された複数種類のキャラクタ画像のうち特別図柄表示装置に表示させるキャラクタ画像の種類を選択し（Ｓ６０６）、選択された背景画像およびキャラクタ画像を特別図柄表示装置に表示させる（Ｓ６０７）。これにより、遊技制御部１１の制御負担を軽減しつつ、多彩な演出画像を表示することができる。【選択図】        図１１
2010119878.tif 000002
【特許請求の範囲】
【請求項１】
表示状態が変化可能な可変表示装置と、該可変表示装置の表示状態を制御する表示制御手段と、遊技の進行を制御する遊技制御手段と、を備えた遊技機において、
前記遊技制御手段は、
予め定めた可変表示条件の成立に基づいて前記可変表示装置の可変表示態様を決定する可変表示態様決定手段と、
該可変表示態様決定手段によって決定された可変表示態様を指定するためのコマンドを前記表示制御手段へ送信可能なコマンド送信手段と、を備え、
前記表示制御手段は、
前記遊技制御手段から所定の前記コマンドを受信した場合に、そのコマンドに対応して予め設定された複数種類の背景画像のうち前記可変表示装置に表示させる背景画像の種類を選択する背景画像選択手段と、
前記背景画像選択手段により所定の背景画像が選択された場合に該背景画像に対応して設定された複数種類のキャラクタ画像のうち前記可変表示装置に表示させるキャラクタ画像の種類を選択するキャラクタ画像選択手段と、を備えたことを特徴とする遊技機。
【発明の詳細な説明】
【技術分野】
【０００１】
本発明は、表示状態が変化可能な可変表示装置と、該可変表示装置の表示状態を制御する表示制御手段と、遊技の進行を制御する遊技制御手段と、を備えた遊技機に関するものである。
【背景技術】
【０００２】
パチンコ遊技機等の遊技機においては、液晶表示装置（以下ＬＣＤ：Liquid Crystal Display）等の可変表示装置上で、予め用意された複数種の識別情報（以下、表示図柄）の可変表示を行い、その表示結果により所定の遊技価値を付与するか否かを決定する、いわゆる可変表示ゲームによって遊技興趣を高めたものが数多く提供されている。
【０００３】
可変表示ゲームには、前述した可変表示装置を、主に画像表示装置として用いることにより行うもの（以下、特図ゲーム）がある。特図ゲームは、所定領域を通過する遊技球の検出に伴って表示図柄の可変表示を行い、表示図柄の表示結果が導出表示された際の導出表示態様が特定表示態様となっている場合を「大当り」とするゲームである。特図ゲームにおいて「大当り」となると、大入賞口と呼ばれる特別電動役物を作動させ、大入賞口扉を開放状態とする。これによって、遊技者に対して遊技球の入賞が極めて容易となる状態を一定時間継続的に提供する。
【０００４】
以下、特図ゲームにおいて大当りとなり、大入賞口扉が開放状態となることで、遊技者に対して遊技球の入賞が極めて容易となる状態となることを特定遊技状態という。特定遊技状態となるためには、通常、可変表示装置に表示される表示図柄の導出表示態様が予め定められた特定表示態様となること（一般的には、可変表示装置の複数の可変表示部に表示される表示図柄が同一図柄で揃うこと）が条件となる。
【発明の概要】
【発明が解決しようとする課題】
【０００５】
ところで、近年では、画像表示によって特図ゲームを行う構成において、可変表示する表示図柄以外にキャラクタや背景等の演出画像を表示して視覚的な興趣を向上するものが提案されており、これに伴い、演出画像による更なる視覚的な興趣向上が求められている。しかしながら、従来では、このような演出画像を表示制御する際、演出画像と個々に対応したコマンドデータを、遊技制御手段（例えば、主基板）から可変表示装置を制御する表示制御手段（例えば、表示制御基板）に送信する構成となっていた。例えば、同一のキャラクタ画像および背景画像を用いた演出画像であってもキャラクタの動作が異なる毎に個々に異なったコマンドデータを設けて演出画像を表示制御していた。このため、演出画像を多彩にすればする程、遊技制御手段のコマンドデータの量を増やす必要があり、遊技制御手段の制御負担が増大していた。
【０００６】
また、背景画像を選択してそれに対応したキャラクタ動作を演出表示するには、その演出の種類が多い程データ量がかさみ、主基板のＲＯＭ容量を鑑みればあまり好ましい構成とはなっていなかった。そこで、本発明は、遊技制御手段の制御負担を軽減しつつ、多彩な演出画像を表示することができる遊技機を提供することにある。
【課題を解決するための手段】
【０００７】
上記目的を達成するために、請求項１の発明においては、表示状態が変化可能な可変表示装置と、該可変表示装置の表示状態を制御する表示制御手段と、遊技の進行を制御する遊技制御手段と、を備えた遊技機において、前記遊技制御手段は、予め定めた可変表示条件の成立に基づいて前記可変表示装置の可変表示態様を決定する可変表示態様決定手段と、該可変表示態様決定手段によって決定された可変表示態様を指定するためのコマンドを前記表示制御手段へ送信可能なコマンド送信手段と、を備え、前記表示制御手段は、前記遊技制御手段から所定の前記コマンドを受信した場合に、そのコマンドに対応して予め設定された複数種類の背景画像のうち前記可変表示装置に表示させる背景画像の種類を選択する背景画像選択手段と、前記背景画像選択手段により所定の背景画像が選択された場合に該背景画像に対応して設定された複数種類のキャラクタ画像のうち前記可変表示装置に表示させるキャラクタ画像の種類を選択するキャラクタ画像選択手段と、を備えたことを特徴とする。このように構成することにより、遊技制御手段から表示制御手段に送信される所定のコマンドに対して、背景画像とキャラクタ画像とを様々な種類で組み合わせた複数種類の演出画像を表示させることができ、ひいては遊技制御手段の制御負担を軽減しつつ、多彩な演出画像を表示することができる。
【発明の効果】
【０００８】
請求項１の発明においては、表示状態が変化可能な可変表示装置と、該可変表示装置の表示状態を制御する表示制御手段と、遊技の進行を制御する遊技制御手段と、を備えた遊技機において、前記遊技制御手段は、予め定めた可変表示条件の成立に基づいて前記可変表示装置の可変表示態様を決定する可変表示態様決定手段と、該可変表示態様決定手段によって決定された可変表示態様を指定するためのコマンドを前記表示制御手段へ送信可能なコマンド送信手段と、を備え、前記表示制御手段は、前記遊技制御手段から所定の前記コマンドを受信した場合に、そのコマンドに対応して予め設定された複数種類の背景画像のうち前記可変表示装置に表示させる背景画像の種類を選択する背景画像選択手段と、前記背景画像選択手段により所定の背景画像が選択された場合に該背景画像に対応して設定された複数種類のキャラクタ画像のうち前記可変表示装置に表示させるキャラクタ画像の種類を選択するキャラクタ画像選択手段と、を備えたことを特徴とする。このように構成することにより、遊技制御手段から表示制御手段に送信される所定のコマンドに対して、背景画像とキャラクタ画像とを様々な種類で組み合わせた複数種類の演出画像を表示させることができ、ひいては遊技制御手段の制御負担を軽減しつつ、多彩な演出画像を表示することができる。
【図面の簡単な説明】
【０００９】
【図１】本発明の一実施形態におけるパチンコ遊技機を示す正面図である。
【図２】パチンコ遊技機を示す背面図である。
【図３】遊技制御部を中心としたシステム構成例を示すブロック図である。
【図４】図３における表示制御部の詳細を示すブロック図である。
【図５】遊技制御部におけるメイン処理を示すフローチャートである。
【図６】電源断処理を示すフローチャートである。
【図７】タイマ割込み処理を示すフローチャートである。
【図８】特別図柄プロセス処理を示すフローチャートである。
【図９】普通図柄プロセス処理を示すフローチャートである。
【図１０】変動パターン指定コマンドを示す一覧表図である。
【図１１】表示制御処理を示すフローチャートである。
【図１２】背景選択処理を示すフローチャートである。
【図１３】キャラクタ動作選択処理を示すフローチャートである。
【図１４】同図（Ａ）〜（Ｃ）は背景画像選択テーブルを示す一覧表図である。
【図１５】同図（Ａ）〜（Ｃ）はアクションＢ用選択テーブルを示す一覧表図である。
【図１６】同図（Ａ）〜（Ｃ）はアクションＤ用選択テーブルを示す一覧表図である。
【図１７】夏背景でのＨＳＪリーチの表示画像を示す説明図である。
【図１８】夏背景でのＨＳＪリーチの表示画像を示す説明図である。
【図１９】冬背景でのＨＳＪリーチの表示画像を示す説明図である。
【図２０】冬背景でのＨＳＪリーチの表示画像を示す説明図である。
【図２１】同図（Ａ）〜（Ｃ）は図柄の通常変動における表示画像を示す説明図である。
【発明を実施するための形態】
【００１０】
以下、図面を参照しつつ、本発明の一実施形態を詳細に説明する。なお、以下の説明においてリーチ演出表示とは、最終停止図柄となる表示図柄以外の表示図柄が、例えば、大当りとなる特定表示態様と一致している状態で停止、揺動、拡大縮小あるいは変形している状態（以下、これらの状態を仮停止という）、すなわち、所定領域内に一定期間継続的に更新表示を停止している状態、又は、表示図柄の表示位置が入れ替わっている状態、又は、複数の表示図柄が同期して更新表示を行っている状態のように、最終結果が表示される前段階において表示結果が特定表示態様となる可能性が見かけ上高められる演出表示のことを指す。また、リーチ表示態様とは、リーチ演出表示を行う際の表示態様をいう。
【００１１】
また、予め特別図柄表示装置における図柄表示領域の特定の組合せを有効ラインとして設定しておき、所定の遊技価値を付与することが決定された場合に最終的な停止図柄態様によって大当りとなったことを報知するときには、この有効ライン上に最終的に停止する表示図柄が特定表示態様となるように表示図柄を変動させた後に停止させる。したがって、遊技者は特別図柄表示装置における有効ライン上の表示態様を確認することで、大当りとなったか否かを容易に認識することができる。
【００１２】
本実施形態における遊技機としては、ＬＣＤ等からなる画像表示装置により特図ゲームを行う遊技機であり、プリペイドカードによって球貸しを行うカードリーダ（ＣＲ：Card Reader ）式の第１種パチンコ遊技機を例に採って説明する。しかし、適用対象となる遊技機としては、これに限るものではなく、例えば、ＬＣＤを搭載したスロットマシン等の遊技機にも適用可能である。
【００１３】
また、パチンコ遊技機等の弾球遊技機であっても、画像表示装置を有するものであれば、例えば、第２種あるいは第３種に分類されるパチンコ遊技機や、一般電役機、又はパチコンと呼ばれる確率設定機能付き弾球遊技機等であっても構わない。さらには、プリペイドカード（将来的にはＩＣコイン等も含む価値媒体）によって球貸しを行うＣＲ式パチンコ遊技機だけではなく、現金によって球貸しを行うパチンコ遊技機にも適用可能である。すなわち、ＬＣＤ等からなる画像表示装置を有し、特図ゲームに相当する演出表示を行うことが可能な遊技機であれば、どのような形態のものであっても構わない。
【００１４】
図１は、本実施形態におけるパチンコ遊技機の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２にはガイドレールによって囲まれた、ほぼ円形状の遊技領域が形成されており、遊技領域のほぼ中央位置には、画像表示装置としての特別図柄表示装置（可変表示装置）４が設けられている。特別図柄表示装置４の上部には、普通図柄を表示するための可変表示器１８（左右一対のＬＥＤ）が設けられている。なお、本実施形態における特別図柄表示装置４は、左・中・右の特別図柄を個々に可変表示し、それぞれの特別図柄が同一図柄で揃った場合を大当り図柄とする構成として例示するものである。
【００１５】
特別図柄表示装置４の下方位置には、電動チューリップ型役物（普通電動役物）５を兼用する特別図柄始動口（スタートチャッカ）６と、大当り発生（特定遊技状態の発生）時にソレノイド等を駆動することで開放動作を行う大入賞口（第１種特別電動役物）７とが上下に並んで配設されており、特別図柄始動口６の左の側方位置には、通過ゲート１９が配設されている。大入賞口７は、特別図柄始動口６への入賞タイミングに基づいて特図ゲームが行われた結果、大当りとなった場合に前面に設けられた大入賞口扉の開放動作を行う。通過ゲート１９は、打球の通過に伴って可変表示器１８（普通図柄）の変動開始（普図ゲーム）を許可する。また、遊技用枠３の左右上部位置には、効果音等を再生出力するためのスピーカ８Ｌ、８Ｒが設けられており、さらに遊技領域周辺部には、ランプ９が設けられている。
【００１６】
図２は、本実施形態におけるパチンコ遊技機の背面図であり、主要基板の配置レイアウトを示す。パチンコ遊技機１は、詳細を後述するように、電源基板（電源部１０）と、主制御基板（遊技制御部１１）と、図柄制御基板（表示制御部１３）と、音声制御基板（音声制御部１４）と、ランプ制御基板（ランプ制御部１５）と、払出制御基板（払出制御部１６）と、外部端子基板（情報出力部１７）とを備え、それぞれ適所に配設されている。
【００１７】
図３は、遊技制御部を中心としたシステム構成例を示すブロック図である。本実施形態におけるパチンコ遊技機１は、主として、電源部（電源基板）１０と、遊技制御部（主制御基板）１１と、入出力部１２と、表示制御部（図柄制御基板）１３と、音声制御部（音声制御基板）１４と、ランプ制御部（ランプ制御基板）１５と、払出制御部（払出制御基板）１６と、情報出力部（外部端子基板）１７とを備えている。
【００１８】
電源部１０は、パチンコ遊技機１内の各回路に所定の電源電圧を供給するものである。遊技制御部１１は、遊技制御基板内に設けられた各種回路から構成されており、特図ゲームにおいて用いる乱数の生成機能、入出力部１２を介して信号の入出力を行う機能、表示制御部１３、音声制御部１４、ランプ制御部１５及び払出制御部１６に対し、それぞれ制御コマンド信号を出力する機能、ホールの管理コンピュータに対し、各種情報を出力する機能を備えている。
【００１９】
入出力部１２は、遊技球の検出や役物の開閉動作を行うためのものである。表示制御部１３、音声制御部１４、ランプ制御部１５は、遊技制御部１１から送信される制御コマンド信号に基づいて、特図ゲームにおける特図表示制御、音声出力制御、ランプ表示制御を、それぞれ遊技制御部１１とは独立して実行するものである。払出制御部１６は、遊技球の貸出や賞球等の払出制御を行うものである。情報出力部１７は、各種遊技関連情報を外部に出力するためのものである。
【００２０】
ここで、特別図柄表示装置４上に表示される表示図柄の仮停止タイミングや変動時間等は、後述する変動パターン指定コマンドに従って一意に定まっている。すなわち、表示制御部１３、音声制御部１４及びランプ制御部１５は、変動パターン指定コマンドを受け取ったタイミングから、特別図柄表示装置４上における表示図柄の変動、スピーカ８Ｌ、８Ｒからの音声出力及びランプ９の明滅表示が連動して行われるように制御を行っている。
【００２１】
図４は、表示制御部の詳細を示すブロック図である。表示制御部１３は、図柄制御基板内に設けられた各種回路から構成され、遊技制御部１１とは独立して特図ゲームにおける画像処理のための表示制御を行うものである。表示制御部１３は、遊技制御部１１から出力される表示制御コマンドデータ（変動パターン指定コマンド）に基づいて特図ゲームに用いられる画像を特別図柄表示装置４上に表示する。このため、表示制御部１３は、発振回路２１と、リセット回路２２と、表示制御用のＣＰＵ（Central Processing Unit ）２３と、ＲＯＭ（Read Only Memory）２４と、ＲＡＭ（Random
Access Memory）２５と、ビデオディスプレイプロセッサ（以下、ＶＤＰ：Video Display Processer ）２６と、キャラクタＲＯＭ２７と、ＶＲＡＭ（Video
RAM ）２８と、ＬＣＤ駆動回路２９とを備えている。
【００２２】
発振回路２１は、ＣＰＵ２３及びＶＤＰ２６に基準クロック信号を出力するものであり、リセット回路２２は、ＣＰＵ２３及びＶＤＰ２６をリセットするためのリセット信号を出力するものである。ＣＰＵ２３は、遊技制御部１１から表示制御コマンドデータが入力されるとＲＡＭ２５を作業領域として用いながらＲＯＭ２４から表示制御を行うための制御データを読み出す。また、ＣＰＵ２３は、読み出した制御データに基づいてＶＤＰ２６に制御信号を出力する。ＲＯＭ２４は、ＣＰＵ２３によって利用される各種制御プログラム等を格納する半導体メモリであり、ＲＡＭ２５は、ＣＰＵ２３によって作業領域として利用される半導体メモリである。
【００２３】
ＶＤＰ２６は、画像表示を行うための表示装置制御機能及び高速描画機能を有し、ＣＰＵ２３からの描画命令に従って動作する。また、ＣＰＵ２３とは独立した二次元のアドレス空間を持ち、そこにＶＲＡＭ２８をマッピングしている。キャラクタＲＯＭ２７は、特別図柄表示装置４に表示される画像の中でも使用頻度の高いキャラクタ画像データ、具体的には、人物、動物、文字、図形又は記号等を予め格納しておくためのものである。ＶＲＡＭ２８は、ＶＤＰ２６によって生成された画像データを展開するためのフレームバッファメモリである。ＬＣＤ駆動回路２９は、ＶＤＰ２６から入力された画像データを、色信号と同期信号とからなるビデオ信号に変換し、特別図柄表示装置４に出力する。
【００２４】
ここで、ＶＤＰ２６は、図４に示すように、ＣＰＵインターフェース３１と、アトリビュートテーブル３２と、スプライト演算部３３と、ＣＧＲＯＭインターフェース３４，３５と、カラーバスコントローラ３６と、パレットテーブル３７と、ＤＡＣ用変換テーブル３８と、Ｄ／Ａコンバータ３９と、同期タイミングコントローラ４０とを備えている。
【００２５】
ＣＰＵインターフェース３１は、ＣＰＵ２３からの描画命令を取り込むためのものである。アトリビュートテーブル３２は、表示する各画像データに対する属性、例えば、サイズ、移動方向、移動量を定義する関数や、スプライトデータ毎に設定された優先度等の属性を格納する。スプライト演算部３３は、スプライトデータを走査展開するための位置計算等の演算処理を行うためのものである。ＣＧＲＯＭインターフェース３４は、キャラクタＲＯＭ２７に格納されたキャラクタ画像データを読み出すためのインターフェースであり、ＣＧＲＯＭインターフェース３５は、ＶＲＡＭ２８に対するデータの入出力を行うためのインターフェースである。
【００２６】
カラーバスコントローラ３６は、カラーコードやパレットコードの入出力を行うためのものである。パレットテーブル３７は、カラーバスコントローラ３６により設定されたパレットコードに基づいて画像データの色を決定するものである。ＤＡＣ用変換テーブル３８は、特別図柄表示装置４に用いられるＬＣＤの表示特性に合わせ、パレットテーブル３７により決定された色が正しく表示されるようにガンマ補正等をかけるためのものである。Ｄ／Ａコンバータ３９は、ＤＡＣ用変換テーブル３８により補正されたデジタル信号をアナログ信号に変換するものである。同期タイミングコントローラ４０は、発振回路２１からのクロック信号及びリセット回路２２からのリセット信号に基づいて、ＬＣＤ駆動回路２９に供給する同期信号（水平同期信号、垂直同期信号、クロック信号）を出力するものである。
【００２７】
次に、本実施形態の動作（作用）を説明する。
【００２８】
まず、本実施形態のパチンコ遊技機における遊技の流れの概略について説明する。パチンコ遊技機１の右下位置に設けられたハンドルを操作することにより、遊技領域中に遊技球が発射される。遊技制御部１１では、入出力部１２内の特別図柄始動スイッチ等の入力の有無を監視しており、遊技球が特別図柄始動口６に入賞した場合、特別図柄始動スイッチにおいて遊技球の入賞が検出される。また、特別図柄始動口６において、遊技球の入賞が検出された場合、入賞した遊技球の数、入賞時の乱数の抽選値が特別図柄判定用バンクに保管される。そして、保管されたデータに基づいて特別図柄表示装置４において特図ゲームを開始する。
【００２９】
図５は、遊技制御部１１におけるＣＰＵが実行するメイン処理を示すフローチャートである。遊技機に対する電源が投入されると、メイン処理おいて、ＣＰＵは、必要な初期設定処理を行う。
【００３０】
初期設定処理において、ＣＰＵは、まず、割込み禁止に設定する（ステップＳ１０１：以下、単にＳ１０１と記す）。次に、割込みモードを割込みモード２に設定し（Ｓ１０２）、スタックポインタにスタックポインタ指定アドレスを設定する（Ｓ１０３）。そして、内蔵デバイスレジスタの初期化を行う（Ｓ１０４）。また、内蔵デバイス（内蔵周辺回路）であるＣＴＣ（カウンタ／タイマ）およびＰＩＯ（パラレル入出力ポート）の初期化を行った後（Ｓ１０５）、ＲＡＭをアクセス可能状態に設定する（Ｓ１０６）。
【００３１】
この実施形態で用いられているＣＰＵには、マスク可能な割込み（ＩＮＴ）のモードとして以下の３種類のモードが用意されている。なお、マスク可能な割込みが発生すると、ＣＰＵは、自動的に割込み禁止状態に設定するとともに、プログラムカウンタの内容をスタックにセーブする。
【００３２】
割込みモード０：割込み要求を行った内蔵デバイスがＲＳＴ命令（１バイト）またはＣＡＬＬ命令（３バイト）をＣＰＵの内部データバス上に送出する。よって、ＣＰＵは、ＲＳＴ命令に対応したアドレスまたはＣＡＬＬ命令で指定されるアドレスの命令を実行する。リセット時に、ＣＰＵは自動的に割込みモード０になる。よって、割込みモード１または割込みモード２に設定したい場合には、初期設定処理において、割込みモード１または割込みモード２に設定するための処理を行う必要がある。
【００３３】
割込みモード１：割込みが受け付けられると、常に００３８（ｈ）番地に飛ぶモードである。
【００３４】
割込みモード２：ＣＰＵの特定レジスタ（Ｉレジスタ）の値（１バイト）と内蔵デバイスが出力する割込みベクタ（１バイト：最下位ビット０）とから合成されるアドレスが、割込み番地を示すモードである。すなわち、割込み番地は、上位アドレスが特定レジスタの値とされ、下位アドレスが割込みベクタとされた２バイトで示されるアドレスである。従って、飛び飛びではあるが任意の偶数番地に割込み処理を設けることができる。各内蔵デバイスは割込み要求を行うときに割込みベクタを送出する機能を有している。
【００３５】
よって、割込みモード２に設定されると、各内蔵デバイスからの割込み要求を容易に処理することが可能になり、また、プログラムにおける任意の位置に割込み処理を設けることが可能になる。さらに、割込みモード１とは異なり、割込み発生要因毎のそれぞれの割込み処理を用意しておくことも容易である。上述したように、この実施形態では、初期設定処理のＳ１０２において、ＣＰＵは割込みモード２に設定される。
【００３６】
次に、遊技機に設けられているクリアスイッチがオン状態であるか否かを判別する（Ｓ１０７）。クリアスイッチがオン状態である場合（Ｓ１０７；Ｙ）、後述するＳ１１０に移行する一方、クリアスイッチがオン状態でない場合（Ｓ１０７；Ｎ）、電源断時にバックアップＲＡＭ領域のデータ保護処理（例えば、パリティデータの付加等）が行われたか否かを確認する（Ｓ１０８）。この実施形態では、不測の電源断が生じた場合には、バックアップＲＡＭ領域のデータを保護するための処理が行われている。そのような保護処理が行われていた場合をバックアップありとする。すなわち、バックアップなしを確認したら、ＣＰＵはＳ１１０以降の初期化処理を実行する。
【００３７】
バックアップありを確認したら、ＣＰＵは、遊技制御部１１の内部状態と表示制御部１３等の電気部品制御手段の制御状態とを電源断の状態に戻すための遊技状態復旧処理を行う（Ｓ１０９）。そして、バックアップＲＡＭ領域に保存されていたＰＣ（プログラムカウンタ）の退避値がＰＣに再設定され、そのアドレスに復帰する。
【００３８】
なお、電源断処理は、図６のフローチャートに示すように、レジスタの退避（Ｓ２０１）およびスタックポインタの退避（Ｓ２０２）を行った後に、ＲＡＭチェックサム演算を行う（Ｓ２０３）。次に、ＲＡＭをアクセス禁止に設定し（Ｓ２０４）、出力ポートをクリア（Ｓ２０５）して待機（ループ）する。
【００３９】
初期化処理では、ＣＰＵは、まず、ＲＡＭクリア処理を行う（Ｓ１１０）。また、所定の作業領域（例えば、普通図柄判定用乱数カウンタ、普通図柄判定用バッファ、特別図柄左中右図柄バッファ、払出コマンド格納ポインタ等）に初期値を設定する初期値設定処理も行われる。さらに、サブ基板（図柄制御基板、音声制御基板、ランプ制御基板、払出制御基板等）を初期化するための処理を実行する（Ｓ１１１）。サブ基板を初期化する処理としては、例えば、初期設定コマンドを送出する処理を行い、初期設定コマンドとして、払出可能状態の場合に払出制御部１６に出力される払出可能状態指定コマンドまたは払出不能状態の場合に払出停止状態指定コマンド等を送出する。払出不能状態として、例えば、球切れスイッチまたは満タンスイッチ（共に図示せず）がオンしていた状態がある。すなわち、ＣＰＵは、球切れスイッチまたは満タンスイッチをオンしていたら払出制御部１６に払出停止状態指定コマンドを送出し、そうでなければ、払出可能状態指定コマンドを送出する。なお、払出可能状態指定コマンドまたは払出停止状態指定コマンドは、Ｓ１０９の遊技状態復旧処理においても実行されるように構成してもよい。
【００４０】
そして、２ｍｓ毎に定期的にタイマ割込みがかかるように、ＣＰＵに設けられているＣＴＣのレジスタの設定が行われる（Ｓ１１２）。すなわち、初期値として２ｍｓに相当する値が所定のレジスタ（時間定数レジスタ）に設定される。
【００４１】
その後、割込み禁止状態に設定（Ｓ１１３）した後に、表示用乱数を生成するためのカウンタのカウント値を更新する表示図柄乱数更新処理（Ｓ１１４）および初期値決定用乱数更新処理（Ｓ１１５）を実行し、その後、割込み許可状態に設定する処理（Ｓ１１６）が繰り返し実行される。
【００４２】
なお、割込み禁止は、割込み禁止命令を発行したり、割込み禁止用のレジスタを禁止に設定したり、マスクレジスタをセットすることによって実現され、割込み許可は、割込み許可命令を発行したり、割込み禁止用のレジスタを許可に設定したり、マスクレジスタをリセットすることによって実現される。また、初期値決定用乱数とは、大当り判定用乱数の初期値を決定するための乱数である。
【００４３】
表示図柄乱数更新処理（Ｓ１１４）および初期値決定用乱数更新処理（Ｓ１１５）におけるカウンタのカウンタ更新処理（数値更新処理）は、割込み禁止状態で実行される。従って、数値更新処理が実行されているときに、タイマ割込み等のマスク可能割込みがかかることはない。すなわち、数値更新処理は、割込み処理によって中断されることなく実行される。
【００４４】
この実施形態では、ＣＰＵの内蔵ＣＴＣが繰り返しタイマ割込みを発生するように設定される。この実施形態では、繰り返し周期は２ｍｓに設定される。そして、タイマ割込みが発生すると、図７に例示するようなタイマ割込み処理が実行される。タイマ割込み処理では、ＣＰＵは、レジスタの退避処理を実行した後、Ｓ３０２〜Ｓ３１４の各遊技制御処理を実行する。遊技制御処理が完了したら、レジスタの復帰処理を行い（Ｓ３１５）、割込み許可状態にする（Ｓ３１６）。
【００４５】
遊技制御処理において、ＣＰＵは、まず、スイッチ回路（図示せず）を介して、ゲートスイッチ、始動口スイッチ、カウントスイッチ、および入賞口スイッチ（共に図示せず）等のスイッチの状態を入力し、それらの状態判定を行う（スイッチ処理：Ｓ３０２）。
【００４６】
次いで、パチンコ遊技機１の内部に備えられている自己診断機能によって種々の異常診断処理が行われ、その結果に応じて必要ならば警報が発せられる（エラー処理：Ｓ３０３）。
【００４７】
次に、遊技制御に用いられる大当り判定用の乱数等の各判定用乱数を示す各カウンタを更新する乱数更新処理を行う（Ｓ３０４）。なお、この乱数更新処理では、大当り時に特別図柄表示装置４へ導出表示する図柄を決定するための大当り図柄用乱数の更新処理も行う。ＣＰＵは、さらに、初期値決定用乱数更新処理（Ｓ３０５）と表示図柄乱数更新処理（Ｓ３０６）とを行う。なお、Ｓ３０５およびＳ３０６の処理の内容は、Ｓ１１５およびＳ１１４の処理と同じである。
【００４８】
さらに、ＣＰＵは、詳細を後述する特別図柄プロセス処理を行う（Ｓ３０７）。特別図柄プロセス処理では、遊技状態に応じてパチンコ遊技機１を所定の順序で制御するための特別図柄プロセスフラグに従って該当する処理が選び出されて実行される。そして、特別図柄プロセスフラグの値は、遊技状態に応じて各処理中に更新される。また、ＣＰＵは、詳細を後述する普通図柄プロセス処理を行う（Ｓ３０８）。普通図柄プロセス処理では、左右一対のＬＥＤによる可変表示器１８の点灯を所定態様で制御するための普通図柄プロセスフラグに従って該当する処理が選び出されて実行される。そして、普通図柄プロセスフラグの値は、遊技状態に応じて各処理中に更新される。
【００４９】
次いで、ＣＰＵは、特別図柄に関する表示制御コマンドをＲＡＭの所定の領域に設定して表示制御コマンドを送出する処理を行う（特別図柄コマンド制御処理：Ｓ３０９）。また、普通図柄に関する表示制御コマンドをＲＡＭの所定の領域に設定して表示制御コマンドを送出する処理を行う（普通図柄コマンド制御処理：Ｓ３１０）。
【００５０】
さらに、ＣＰＵは、例えば、ホール管理用コンピュータに供給される大当り情報、始動情報、確率変動情報等のデータを出力する情報出力処理を行う（Ｓ３１１）。
【００５１】
また、ＣＰＵは、所定の条件が成立したときにソレノイド回路(図示せず)に駆動指令を行う（Ｓ３１２）。ソレノイド回路は、駆動指令に応じてソレノイド(図示せず)を駆動し、特別図柄始動口６または大入賞口７を開状態または閉状態とする。
【００５２】
そして、ＣＰＵは、各入賞口への入賞を検出するためのスイッチの検出出力に基づいく賞球数の設定等を行う賞球処理を実行する（Ｓ３１３）。具体的には、入賞検出に応じて払出制御部１６に払出制御コマンドを出力する。払出制御部１６に搭載されている払出制御用ＣＰＵ(図示せず)は、払出制御コマンドに応じて球払出装置(図示せず)を駆動する。
【００５３】
以上の制御によって、この実施形態では、遊技制御処理は２ｍｓ毎に起動されることになる。また、遊技制御処理の全てが実行されるまでは、割込み許可状態とはされないので、他の割込みまたは次回のタイマ割込みが発生することはなく、遊技制御処理中の全ての各処理が確実に実行完了する。
【００５４】
図８は、ＣＰＵが実行する特別図柄プロセス処理のプログラムの一例を示すフローチャートである。図８に示す特別図柄プロセス処理は、図７のフローチャートにおけるＳ３０７の具体的な処理である。ＣＰＵは、特別図柄プロセス処理を行う際に、変動短縮タイマ減算処理を行い（Ｓ４０１）、次に、特別図柄始動口６のスイッチ（第一種始動口スイッチ）がオン状態であるか否かを判別する（Ｓ４０２）。第一種始動口スイッチがオン状態である場合（Ｓ４０２；Ｙ）、始動入賞記憶数が満タンでなければ、始動入賞記憶数を＋１するとともに大当り判定用乱数等を抽出する第一種始動口スイッチ通過処理（Ｓ４０３）を行う。一方、第一種始動口スイッチがオン状態でない場合（Ｓ４０２；Ｎ）、Ｓ４０３の処理を行わずにそのまま、内部状態（特図フラグ情報）に応じて、Ｓ４０４〜Ｓ４１２のうちいずれかの処理を行う。変動短縮タイマは、特別図柄の変動時間が短縮される場合に、変動時間を設定するためのタイマである。特図フラグ情報の値は、遊技状態に応じて各処理中に更新される。
【００５５】
特図フラグ情報の値が“００Ｈ”のとき、特図ゲームにおいて抽選した乱数値が大当り値と一致するか否かを判定したり、それを外部に報知する処理等の通常の遊技状態における「特別図柄通常処理」を実行する（Ｓ４０４）。
【００５６】
特図フラグ情報の値が“０１Ｈ”のとき、特別図柄表示装置４上で行われる特図ゲームにおける停止図柄を設定する「特別図柄停止図柄設定処理」を実行する（Ｓ４０５）。なお、この特別図柄停止図柄設定処理では、前記特別図柄通常処理で判定された大当りに関する情報に基づいて停止図柄を決定する。具体的には、ハズレが決定された場合は表示図柄用乱数からの所得値に基づいて停止図柄を決定し、大当りが決定された場合は大当り図柄用乱数からの所得値に基づいて停止図柄を決定する。
【００５７】
特図フラグ情報の値が“０２Ｈ”のとき、特別図柄表示装置４上で行われる特図ゲームの図柄の可変表示パターンを設定する「可変表示パターン設定処理」を実行する（Ｓ４０６）。なお、この可変表示パターン設定処理では、前記特別図柄停止図柄設定処理で決定された停止図柄に基づいて可変表示パターンを決定する。
【００５８】
特図フラグ情報の値が“０３Ｈ”のとき、特別図柄表示装置４において特図ゲームにおける変動処理を行う「特別図柄変動処理」を実行する（Ｓ４０７）。なお、この特別図柄変動処理では、前記可変表示パターン設定処理で決定された可変表示パターン毎に設定された演出時間の期間中、特図ゲームにおける変動処理を行う。また、このようなＳ４０７の処理を行うタイミングが本発明のコマンド送信手段によるコマンドデータの送信タイミングとなる。
【００５９】
特図フラグ情報の値が“０４Ｈ”のとき、特別図柄の停止表示後の処理を行う「特別図柄停止処理」を実行する（Ｓ４０８）。なお、この特別図柄停止処理では、図柄停止表示後のパチンコ遊技機１の動作を設定する。具体的には、大当りであれば、大当り演出を行う設定を行った後に以下に示す特図フラグ“０５Ｈ”へ移行する処理を行う。一方、ハズレであれば、次回の図柄の可変表示を行うため、前記特図フラグ“００Ｈ”へ移行する処理を行う。
【００６０】
特図フラグ情報の値が“０５Ｈ”のとき、大当り動作のための初期化処理を行う「大入賞口開放前処理」を実行する（Ｓ４０９）。なお、この大入賞口開放前処理では、大当り前の動作に関する処理を行う。具体的には、大入賞口７を開放させるためにソレノイドを駆動する処理を行い、表示制御部１３、音声制御部１４、及びランプ制御部１５へ大当りを演出するためのコマンドデータを送信する処理を行う。
【００６１】
特図フラグ情報の値が“０６Ｈ”のとき、大当り動作に関する様々な処理、及び１回当たりの大入賞口７の開放時間をチェックする「大入賞口開放中処理」を実行する（Ｓ４１０）。なお、この大入賞口開放中処理では、大当り中の動作に関する処理を行う。具体的には、大入賞口７への遊技球の入賞球数や特定領域の通過を監視すると共に、大入賞口７の開放時間を監視する。
【００６２】
特図フラグ情報の値が“０７Ｈ”のとき、特定領域スイッチへの遊技球の通過を監視し、特別図柄プロセスが終了したかどうかを判定する「特定領域有効時間処理」を実行する（Ｓ４１１）。なお、この特定領域有効時間処理では、大入賞口７の閉成後、所定時間内における特定領域の遊技球の通過を監視する。具体的には、大入賞口７の閉成直前に入賞した遊技球が特定領域を通過することによる処理を担保するための処理を行う。
【００６３】
特図フラグ情報の値が“０８Ｈ”のとき、特別図柄プロセスの終了かどうか判定し、終了ならば、デモ表示（大当り中の画面）フラグのクリア、大当り時表示図柄のクリア、大当り終了表示のクリア、及び大当り中情報のクリアを行う「大当り終了処理」を実行する（Ｓ４１２）。なお、この大当り終了処理は、大当り終了か否かを判定する処理を行う。具体的には、最終ラウンドであるか否かを判定し、最終ラウンドでなければ次のラウンドへの継続条件を満たしているか否かを判定する。以上の結果、大当りが終了すると判定されると、デモ表示フラグ等のデータをクリアすると共に、確率変動条件を満たすものである場合（例えば、確変図柄で大当りした場合等）には、高確率状態へ移行するために確変フラグをセットし、特図フラグ“００Ｈ”をセットする。また、次のラウンドへの継続条件を満たしている場合には、次のラウンドにおける大入賞口７を開放するための処理を行うために特図フラグ“０５Ｈ”をセットする処理を行う。
【００６４】
なお、特別図柄プロセス処理において実行される各処理としては、前述した処理だけに限るものではなく、他の処理に置換したり、さらに他の処理を追加しても構わない。また、特図フラグ情報の値によって分岐される各処理の処理内容が複雑化して、タイマ割り込み時間内で処理を完了させることができない場合には、同一処理を複数追加するようにしてもよい。
【００６５】
特図ゲームでは、遊技球が特別図柄始動口６を通過したとき、判定用乱数の値によって特別図柄の大当り、ハズレを判定する。判定の結果、大当りとなった場合には、大当り図柄用乱数の値に対応する特別図柄の組み合わせを特別図柄表示装置４に表示する。一方、ハズレとなった場合には、表示図柄用乱数の値に対応する特別図柄を表示する。
【００６６】
図９は、ＣＰＵが実行する普通図柄プロセス処理のプログラムの一例を示すフローチャートである。図９に示す普通図柄プロセス処理は、図７のフローチャートにおけるＳ３０８の具体的な処理である。ＣＰＵは、普通図柄プロセス処理を行う際に、普通図柄変動開始の条件となる通過ゲート１９の打球通過に基づくゲートスイッチ(図示せず)のオン状態を判別する（Ｓ５０１）。ゲートスイッチがオン状態である場合（Ｓ５０１；Ｙ）、ゲート通過記憶数が満タンでなければ、ゲート通過記憶数を＋１するとともに当り判定用乱数等を抽出するゲートスイッチ通過処理（Ｓ５０２）を行う。一方、ゲートスイッチがオン状態でない場合（Ｓ５０１；Ｎ）、Ｓ５０２の処理を行わずにそのまま、内部状態（普図フラグ情報）に応じて、Ｓ５０３〜Ｓ５０６のうちいずれかの処理を行う。普図フラグ情報の値は、遊技状態に応じて各処理中に更新される。
【００６７】
普図フラグ情報の値が“００Ｈ”のとき、普図ゲームにおいて抽選した乱数値が当り値と一致するか否かを判定したり、それを外部に報知する処理等の通常の遊技状態における「普通図柄通常処理」を実行する（Ｓ５０３）。普図フラグ情報の値が“０１Ｈ”のとき、可変表示器１８において普図ゲームにおける変動処理を行う「普通図柄変動処理」を実行する（Ｓ５０４）。普図フラグ情報の値が“０２Ｈ”のとき、普通図柄の停止処理を行う「普通図柄停止処理」を実行する（Ｓ５０５）。なお、この普通図柄停止処理では、普通図柄の停止表示後におけるパチンコ遊技機１の動作に係る処理を行う。具体的には、当該普通図柄の変動が当りである場合には、電動チューリップ型役物５を開成させるためにソレノイドを駆動するためのデータをセットしてから普図フラグ“０３Ｈ”をセットする処理を行う。一方、ハズレである場合には、次回の普通図柄の可変表示を行うために普図フラグ“００Ｈ”をセットする処理を行う。普図フラグ情報の値が“０３Ｈ”のとき、普通図柄の当りに伴って電動チューリップ型役物５を開放動作させる処理を行う「普通電動役物作動処理」を実行する（Ｓ５０６）。
【００６８】
なお、普通図柄プロセス処理において実行される各処理としては、前述した処理だけに限るものではなく、他の処理に置換したり、さらに他の処理を追加しても構わない。
【００６９】
普図ゲームでは、遊技球が通過ゲート１９を通過したとき、判定用乱数の値によって普通図柄の当り、ハズレを判定する。判定の結果、当りとなった場合には、当りの普通図柄を可変表示器１８に表示する（左右一対のＬＥＤのうち当りのＬＥＤを点灯する）。一方、ハズレとなった場合には、ハズレの普通図柄を可変表示器１８に表示する（左右一対のＬＥＤのうちハズレのＬＥＤを点灯させる）。
【００７０】
以下、遊技制御部１１から表示制御部１３に出力される表示制御コマンドデータ（変動パターン指定コマンド）に基づいて表示制御部１３によって行われる画像表示処理について詳しく説明する。なお、表示制御部１３による画像表示処理においては、見かけ上、同様の画像表示がなされるのであれば、以下に説明するフローチャートに従った処理手順を必ずしも実行する必要はない。
【００７１】
なお、遊技制御部１１から表示制御部１３へ送信される変動パターン指定コマンドは、図１０の一覧表図に示す通りである。具体的には、パターンＮｏ．１（コマンドデータ“８０Ｈ００Ｈ”）〜２０（コマンドデータ“８０Ｈ１３Ｈ”）の２０種類であり、コマンドデータ“８０Ｈ００Ｈ”は通常変動、コマンドデータ“８０Ｈ０１Ｈ”はノーマルリーチ、コマンドデータ“８０Ｈ０２Ｈ”はロングリーチ、コマンドデータ“８０Ｈ０３Ｈ”はＨＳＪ（ホップステップジャンプ）リーチ（−２コマはずれ）、コマンドデータ“８０Ｈ０４Ｈ”はＨＳＪリーチ（−１コマはずれ）、コマンドデータ“８０Ｈ０５Ｈ”はＨＳＪリーチ（大当り）、…  コマンドデータ“８０Ｈ１２Ｈ”は全回転大当り、コマンドデータ“８０Ｈ１３Ｈ”は通常時間短縮変動、となっている。即ち、遊技制御部１１は、大当りか否かの抽選を行い、停止図柄を決定してからこれに基づいて図柄の変動パターンを決定し、当該決定した変動パターンに対応したコマンドデータを表示制御部１３へ送信する。
【００７２】
また、各コマンドデータ毎にそれぞれ所定の演出時間が設定されている。例えば、表示制御部１３が遊技制御部１１からコマンドデータ“８０Ｈ０３Ｈ”を受信すると、−２コマはずれの画像演出（具体的には、後述するキャラクタが１つ目の崖から落ちるまでの画像演出）を４５０００ｍｓ（４５秒間）行う。また、表示制御部１３が遊技制御部１１からコマンドデータ“８０Ｈ０４Ｈ”を受信すると、−１コマはずれの画像演出（具体的には、後述するキャラクタが２つ目の崖から落ちるまでの画像演出）を５００００ｍｓ（５０秒間）行う。また、表示制御部１３が遊技制御部１１からコマンドデータ“８０Ｈ０５Ｈ”を受信すると、大当りの画像演出（具体的には、後述するキャラクタがゴールに到達するまでの画像演出）を５５０００ｍｓ（５５秒間）行う。
【００７３】
図１１は、表示制御プロセスを示すフローチャートである。表示制御部１３は、遊技制御部１１からの変動パターン指定コマンドの受信の有無を判別する（Ｓ６０１）。変動パターン指定コマンドの受信がない場合（Ｓ６０１；Ｎ）、他の演出処理（Ｓ６０２）を行った後にメインフローに復帰する。なお、他の演出処理としては、例えば、大当り中の演出画面表示処理、遊技者が遊技を行っていない場合等はデモ画面表示する処理、等があり、これらの処理についても、遊技制御部１１（主基板）からのコマンドデータの受信に基づいて行われる。但し、コマンドデータの受信がない場合には、現行の演出表示を継続して行うものである。例えば、図柄の変動表示中であれば当該図柄の変動表示を続行する処理等である。
【００７４】
一方、変動パターン指定コマンドの受信がある場合（Ｓ６０１；Ｙ）、受信した変動パターン指定コマンドがＨＳＪリーチを行うコマンドであるか否か、言い換えればコマンドデータが“８０Ｈ０３Ｈ”“８０Ｈ０４Ｈ”“８０Ｈ０５Ｈ”のいずれかであるか否かを判別する（Ｓ６０３）。ＨＳＪリーチ以外のコマンドの場合（Ｓ６０３；Ｎ）、ＨＳＪリーチ以外となる他の変動パターン演出処理（Ｓ６０４）を行った後にメインフローに復帰する。なお、他の変動パターン演出処理としては、例えば、図１０中に示すコマンドデータ“８０Ｈ００Ｈ”の通常変動を表示する処理等である。この通常変動における具体的な表示画像は、図２１（Ａ）〜（Ｃ）に示すように、左・中・右の図柄４１，４２，４３を個々に可変表示する画像である。但し、この画像では、後で詳述するＨＳＪリーチでの表示画像とは違い、キャラクタ画像や背景画像を表示することなく、画面一杯に各図柄４１，４２，４３を表示するようになっている。また、図２１中では、左図柄が「３」で止まった（図２１（Ｂ）参照）後、右図柄も「３」で止まり画面右下に「リーチ！！」の文字４４が表示された場合（図２１（Ｃ）参照）を例示している。なお、このような通常変動の表示において、図２１（Ｃ）に示すように、リーチとなった場合、そのままの表示態様でリーチ変動を行う場合もあるが、その後、後で詳述するＨＳＪリーチの表示態様に画像を切り換えてリーチ変動を行う場合もある。言い換えれば、ＨＳＪリーチは、通常変動が発展して行われるリーチ変動となっている。
【００７５】
一方、ＨＳＪリーチのコマンドの場合（Ｓ６０３；Ｙ）、ＨＳＪリーチの演出画像における背景を選択するための背景選択処理を行う（Ｓ６０５）。次に、ＨＳＪリーチの演出画像におけるキャラクタ動作を選択するためのキャラクタ動作選択処理を行う（Ｓ６０６）。そして、最後に、Ｓ６０５で選択された背景とＳ６０６で選択されたキャラクタ動作とに基づいてＨＳＪリーチの演出処理（Ｓ６０７）を行った後にメインフローに復帰する。
【００７６】
図１２は、表示制御部１３が実行する背景選択処理のプログラムの一例を示すフローチャートである。図１２に示す背景選択処理は、図１１のフローチャートにおけるＳ６０５の具体的な処理である。背景選択処理において、表示制御部１３は、まず、背景選択用カウンタ（「０」〜「１０」）のカウンタ値を取得する（Ｓ７０１）。次に、受信したコマンドデータを参照して背景画像選択テーブルを決定する（Ｓ７０２）。そして、最後に、Ｓ７０２で決定した背景画像選択テーブルとＳ７０１で取得したカウンタ値から背景画像データを決定（Ｓ７０３）してメインフローに復帰する。
【００７７】
なお、背景画像選択テーブルは、各コマンドデータに対応させて３種類設定している。具体的には、受信したコマンドデータが“８０Ｈ０３Ｈ”の場合、図１４（Ａ）に示す背景画像選択テーブルが選択され、受信したコマンドデータが“８０Ｈ０４Ｈ”の場合、図１４（Ｂ）に示す背景画像選択テーブルが選択され、受信したコマンドデータが“８０Ｈ０５Ｈ”の場合、図１４（Ｃ）に示す背景画像選択テーブルが選択される。
【００７８】
また、図１４（Ａ）〜（Ｃ）の各背景画像選択テーブルで選択される背景は、夏背景と冬背景との２種類になっている。図１４（Ａ）の背景画像選択テーブルでは、カウンタ取得値が「０」〜「８」のいずれかのときに夏背景を選択し、カウンタ取得値が「９」「１０」のいずれかのときに冬背景を選択する。図１４（Ｂ）の背景画像選択テーブルでは、カウンタ取得値が「０」〜「５」のいずれかのときに夏背景を選択し、カウンタ取得値が「６」〜「１０」のいずれかのときに冬背景を選択する。図１４（Ｃ）の背景画像選択テーブルでは、カウンタ取得値が「０」〜「２」のいずれかのときに夏背景を選択し、カウンタ取得値が「３」〜「１０」のいずれかのときに冬背景を選択する。
【００７９】
図１３は、表示制御部１３が実行するキャラクタ動作選択処理のプログラムの一例を示すフローチャートである。図１３に示すキャラクタ動作選択処理は、図１１のフローチャートにおけるＳ６０６の具体的な処理である。キャラクタ動作選択処理において、表示制御部１３は、まず、動作決定用カウンタＡ（「０」〜「１０」）のカウンタ値を取得する（Ｓ８０１）。次に、受信したコマンドデータと前記Ｓ７０３で決定した背景からアクションＢ用選択テーブルを決定する（Ｓ８０２）。そして、Ｓ８０１で取得したカウンタ値（Ａ）からアクションＢにおけるキャラクタ動作データを決定する（Ｓ８０３）。続いて、動作決定用カウンタＢ（「０」〜「１０」）のカウンタ値を取得する（Ｓ８０４）。次に、Ｓ８０２と同様に、受信したコマンドデータと前記Ｓ７０３で決定した背景からアクションＤ用選択テーブルを決定し（Ｓ８０５）、Ｓ８０４で取得したカウンタ値（Ｂ）からアクションＤにおけるキャラクタ動作データを決定する（Ｓ８０６）。そして、最後に、選択した背景データとキャラクタ動作データに基づいて、ＨＳＪリーチの演出態様を決定（Ｓ８０７）してメインフローに復帰する。
【００８０】
なお、アクションＢ用選択テーブル及びアクションＤ用選択テーブルは、各コマンドデータに対応させて個々に３種類設定している。具体的には、受信したコマンドデータが“８０Ｈ０３Ｈ”の場合、図１５（Ａ）に示すアクションＢ用選択テーブルと図１６（Ａ）に示すアクションＤ用選択テーブルとが選択され、受信したコマンドデータが“８０Ｈ０４Ｈ”の場合、図１５（Ｂ）に示すアクションＢ用選択テーブルと図１６（Ｂ）に示すアクションＤ用選択テーブルとが選択され、受信したコマンドデータが“８０Ｈ０５Ｈ”の場合、図１５（Ｃ）に示すアクションＢ用選択テーブルと図１６（Ｃ）に示すアクションＤ用選択テーブルとが選択される。
【００８１】
また、図１５（Ａ）〜（Ｃ）のアクションＢ用選択テーブル及び図１６（Ａ）〜（Ｃ）のアクションＤ用選択テーブルは、それぞれ背景（夏背景、冬背景）毎に異なったテーブルａ，ｂを設定している。具体的に、図１５（Ａ）のアクションＢ用選択テーブル（夏背景）では、カウンタ取得値が「０」〜「８」のいずれかのときにジャンプして落ちるキャラクタ動作を選択し、カウンタ取得値が「９」「１０」のいずれかのときに飛んで落ちるキャラクタ動作を選択する。図１５（Ａ）のアクションＢ用選択テーブル（冬背景）では、カウンタ取得値が「０」〜「７」のいずれかのときにジャンプして落ちるキャラクタ動作を選択し、カウンタ取得値が「８」〜「１０」のいずれかのときにスピンしながら落ちるキャラクタ動作を選択する。
【００８２】
図１５（Ｂ）のアクションＢ用選択テーブル（夏背景）では、カウンタ取得値が「０」〜「５」のいずれかのときにジャンプして浮島へ移動するキャラクタ動作を選択し、カウンタ取得値が「６」〜「１０」のいずれかのときに飛んで浮島へ移動するキャラクタ動作を選択する。図１５（Ｂ）のアクションＢ用選択テーブル（冬背景）では、カウンタ取得値が「０」〜「５」のいずれかのときにジャンプして浮島へ移動するキャラクタ動作を選択し、カウンタ取得値が「６」〜「１０」のいずれかのときにスピンしながら浮島へ移動するキャラクタ動作を選択する。
【００８３】
図１５（Ｃ）のアクションＢ用選択テーブル（夏背景）では、カウンタ取得値が「０」〜「２」のいずれかのときにジャンプして浮島へ移動するキャラクタ動作を選択し、カウンタ取得値が「３」〜「１０」のいずれかのときに飛んで浮島へ移動するキャラクタ動作を選択する。図１５（Ｃ）のアクションＢ用選択テーブル（冬背景）では、カウンタ取得値が「０」「１」のいずれかのときにジャンプして浮島へ移動するキャラクタ動作を選択し、カウンタ取得値が「２」〜「１０」のいずれかのときにスピンしながら浮島へ移動するキャラクタ動作を選択する。
【００８４】
図１６（Ａ）のアクションＤ用選択テーブル（夏背景）では、カウンタ取得値が「０」〜「１０」のいずれかのとき、言い換えれば図１６（Ａ）のアクションＤ用選択テーブル（夏背景）を決定したときにはキャラクタ動作を選択しない。即ち、アクションＤの表示を行う前にハズレが導出表示されるため、キャラクタ動作を選択しない。これと同様に、図１６（Ａ）のアクションＤ用選択テーブル（冬背景）を決定したときにはキャラクタ動作を選択しない。
【００８５】
図１６（Ｂ）のアクションＤ用選択テーブル（夏背景）では、カウンタ取得値が「０」のときにロケットのガス欠で落ちるキャラクタ動作を選択し、カウンタ取得値が「１」〜「３」のいずれかのときに傘が壊れて落ちるキャラクタ動作を選択し、カウンタ取得値が「４」〜「１０」のいずれかのときにはばたきながら落ちるキャラクタ動作を選択する。図１６（Ｂ）のアクションＤ用選択テーブル（冬背景）では、カウンタ取得値が「０」〜「２」のいずれかのときにスノーモービルもろとも落ちるキャラクタ動作を選択し、カウンタ取得値が「３」「４」のいずれかのときにスキージャンプ失敗で落ちるキャラクタ動作を選択し、カウンタ取得値が「５」〜「１０」のいずれかのときに回転しながら落ちるキャラクタ動作を選択する。
【００８６】
図１６（Ｃ）のアクションＤ用選択テーブル（夏背景）では、カウンタ取得値が「０」のときにロケットで向島へ移動するキャラクタ動作を選択し、カウンタ取得値が「１」〜「３」のいずれかのときに傘をさしながら向島へ移動するキャラクタ動作を選択し、カウンタ取得値が「４」〜「１０」のいずれかのときにはばたきながら向島へ移動するキャラクタ動作を選択する。図１６（Ｃ）のアクションＤ用選択テーブル（冬背景）では、カウンタ取得値が「０」〜「２」のいずれかのときにスノーモービルでジャンプして向島へ移動するキャラクタ動作を選択し、カウンタ取得値が「３」「４」のいずれかのときにスキージャンプして向島へ移動するキャラクタ動作を選択し、カウンタ取得値が「５」〜「１０」のいずれかのときに回転しながら向島へ移動するキャラクタ動作を選択する。
【００８７】
次に、ＨＳＪリーチにおける具体的な表示画像について説明する。以下に示すＨＳＪリーチの表示画像は、左右の図柄がそれぞれ「３」で揃ってリーチとなり、その後、大当りとなる場合を例示する。まず、夏背景でのＨＳＪリーチの表示画像について図１７および図１８を参照して説明する。最初に、図１７（Ａ）に示すように、太陽が出た夏山の風景５０を夏背景の画像として表示すると共に、崖５１を走るキャラクタ６１をキャラクタ画像として表示する。また、この画像において、左右上端の表示領域には、リーチ図柄となる左右の図柄４１，４３（「３」図柄）を表示し、中央下端の表示領域となる崖５１の前面には、中図柄４２（この場合では「１」図柄）を表示する。なお、風景５０及び左右の図柄４１，４３は、その後継続的に表示される。
【００８８】
次に、前記図１５（Ｂ）又は図１５（Ｃ）のアクションＢ用選択テーブル（夏風景）から「ジャンプして浮島へ」のキャラクタ動作が選択された場合には、図１７（Ｂ−１）に示すように、崖５１から浮島５２にジャンプするキャラクタ６２をキャラクタ画像として表示する。また、この画像において、中央下端の表示領域となる浮島５２の前面には、中図柄４２（この場合では「２」図柄）を表示する。なお、前記キャラクタ６１からキャラクタ６２への切り換えは、崖５１を走るキャラクタがジャンプして浮島５２に飛ぶ一連の動作として表示されるものであり、崖５１から浮島５２への表示切り換えは、左方向への横スクロールによって行われる。また、以下に示すキャラクタ画像の切り換え表示は、これと同様にして行われる。
【００８９】
また、前記図１５（Ｂ）又は図１５（Ｃ）のアクションＢ用選択テーブル（夏風景）から「飛んで浮島へ」のキャラクタ動作が選択された場合には、図１７（Ｂ−２）に示すように、崖５１から浮島５２に飛ぶキャラクタ６３をキャラクタ画像として表示する。次いで、前記図１７（Ｂ−１）又は図１７（Ｂ−２）のキャラクタ画像を表示した後は、図１７（Ｃ）に示すように、浮島５２に着地したキャラクタ６４をキャラクタ画像として表示する。但し、図１５（Ａ）のアクションＢ用選択テーブル（夏風景）から「ジャンプして落ちる」「飛んで落ちる」のいずれかのキャラクタ動作が選択された場合には、図１７（Ｂ−１）又は図１７（Ｂ−２）のキャラクタ画像からキャラクタが個々の方法で落ちる画像（図示しない）に切り換え表示する。その結果、中図柄４２に「１」が導出表示されて、−２コマによるハズレ表示がなされる。
【００９０】
次に、前記図１６（Ｃ）のアクションＤ用選択テーブル（夏風景）から「ロケットで向島へ」のキャラクタ動作が選択された場合には、図１８（Ｄ−１）に示すように、浮島５２から向島５３にロケットで飛ぶキャラクタ６５をキャラクタ画像として表示する。図１６（Ｃ）のアクションＤ用選択テーブル（夏風景）から「傘をさしながら向島へ」のキャラクタ動作が選択された場合には、図１８（Ｄ−２）に示すように、浮島５２から向島５３に傘をさして飛ぶキャラクタ６６をキャラクタ画像として表示する。図１６（Ｃ）のアクションＤ用選択テーブル（夏風景）から「はばたきながら向島へ」のキャラクタ動作が選択された場合には、図１８（Ｄ−３）に示すように、浮島５２から向島５３にはばたきながら飛ぶキャラクタ６７をキャラクタ画像として表示する。なお、図１８（Ｄ−１）〜（Ｄ−３）の画像において、左下端の表示領域となる浮島５２の前面には「２」の中図柄４２を表示する一方、右下端の表示領域となる向島５３の前面には「３」の中図柄４２を表示する。
【００９１】
次いで、前記図１８（Ｄ−１）、図１８（Ｄ−２）、又は図１８（Ｄ−３）のキャラクタ画像を表示した後は、図１８（Ｅ）に示すように、向島５３にゴールして喜ぶキャラクタ６８をキャラクタ画像として表示する。なお、図１８（Ｅ）の画像において、中央下端の表示領域となる向島５３の前面には「３」の中図柄４２を表示し、これによって左右の図柄４１，４３（リーチ図柄）と共に「３」の図柄が揃った大当り図柄の導出となる。但し、図１６（Ｂ）のアクションＢ用選択テーブル（夏風景）から「ロケットガス欠で落ちる」「傘が壊れて落ちる」「はばたきながら落ちる」のいずれかのキャラクタ動作が選択された場合には、図１８（Ｄ−１）、図１８（Ｄ−２）、又は図１８（Ｄ−３）のキャラクタ画像からキャラクタが個々の方法で落ちる画像（図示しない）に切り換え表示する。その結果、中図柄４２に「２」が導出表示されて、−１コマによるハズレ表示がなされる。
【００９２】
また、以上説明した夏背景でのＨＳＪリーチの表示画像において、図１７（Ａ）に示すＨＳＪリーチのスタート画像から図１８（Ｅ）に示すＨＳＪリーチのゴール画像まで（大当りの表示態様）のトータルとしてのリーチ画像表示時間は、途中アクションＢ，Ｄで様々に分岐するにも拘わらず、全て同一時間に設定されている。また、アクションＢでキャラクタが落ちてハズレ表示がなされるまでの態様（−２コマはずれの表示態様）は２種類あるが、この２種類共にリーチ画像表示時間は同一時間に設定されている。また、アクションＤでキャラクタが落ちてハズレ表示がなされるまでの態様（−１コマはずれの表示態様）についても同様に複数種類存在するが、全ての種類においてリーチ画像表示時間は同一時間に設定されている。
【００９３】
次に、冬背景でのＨＳＪリーチの表示画像について図１９および図２０を参照して説明する。最初に、図１９（Ａ）に示すように、雪が降る冬山の風景７０を冬背景の画像として表示すると共に、崖７１を走るキャラクタ８１をキャラクタ画像として表示する。また、この画像において、左右上端の表示領域には、リーチ図柄となる左右の図柄４１，４３（「３」図柄）を表示し、中央下端の表示領域となる崖７１の前面には、中図柄４２（この場合では「１」図柄）を表示する。なお、風景７０及び左右の図柄４１，４３は、その後継続的に表示される。
【００９４】
次に、前記図１５（Ｂ）又は図１５（Ｃ）のアクションＢ用選択テーブル（冬風景）から「ジャンプして浮島へ」のキャラクタ動作が選択された場合には、図１９（Ｂ−１）に示すように、崖７１から浮島７２にジャンプするキャラクタ８２をキャラクタ画像として表示する。また、この画像において、中央下端の表示領域となる浮島７２の前面には、中図柄４２（この場合では「２」図柄）を表示する。また、図１５（Ｂ）又は図１５（Ｃ）のアクションＢ用選択テーブル（冬風景）から「スピンしながら浮島へ」のキャラクタ動作が選択された場合には、図１９（Ｂ−２）に示すように、崖７１から浮島７２にスピンしながら飛ぶキャラクタ８３をキャラクタ画像として表示する。次いで、前記図１９（Ｂ−１）又は図１９（Ｂ−２）のキャラクタ画像を表示した後は、図１９（Ｃ）に示すように、浮島７２に着地したキャラクタ８４をキャラクタ画像として表示する。但し、図１５（Ａ）のアクションＢ用選択テーブル（冬風景）から「ジャンプして落ちる」「スピンしながら落ちる」のいずれかのキャラクタ動作が選択された場合には、図１９（Ｂ−１）又は図１９（Ｂ−２）のキャラクタ画像からキャラクタが個々の方法で落ちる画像（図示しない）に切り換え表示する。その結果、中図柄４２に「１」が導出表示されて、−２コマによるハズレ表示がなされる。
【００９５】
次に、前記図１６（Ｃ）のアクションＤ用選択テーブル（冬風景）から「スノーモービルでジャンプして向島へ」のキャラクタ動作が選択された場合には、図２０（Ｄ−１）に示すように、浮島７２から向島７３にスノーモービルでジャンプするキャラクタ８５をキャラクタ画像として表示する。図１６（Ｃ）のアクションＤ用選択テーブル（冬風景）から「スキージャンプして向島へ」のキャラクタ動作が選択された場合には、図２０（Ｄ−２）に示すように、浮島７２から向島７３にスキージャンプするキャラクタ８６をキャラクタ画像として表示する。図１６（Ｃ）のアクションＤ用選択テーブル（冬風景）から「回転しながら向島へ」のキャラクタ動作が選択された場合には、図２０（Ｄ−３）に示すように、浮島７２から向島７３に回転しながら飛ぶキャラクタ８７をキャラクタ画像として表示する。なお、図２０（Ｄ−１）〜（Ｄ−３）の画像において、左下端の表示領域となる浮島７２の前面には「２」の中図柄４２を表示する一方、右下端の表示領域となる向島７３の前面には「３」の中図柄４２を表示する。
【００９６】
次いで、前記図２０（Ｄ−１）、図２０（Ｄ−２）、又は図２０（Ｄ−３）のキャラクタ画像を表示した後は、図２０（Ｅ）に示すように、向島７３にゴールして喜ぶキャラクタ８８をキャラクタ画像として表示する。なお、図２０（Ｅ）の画像において、中央下端の表示領域となる向島７３の前面には「３」の中図柄４２を表示し、これによって左右の図柄４１，４３（リーチ図柄）と共に「３」の図柄が揃った大当り図柄の導出となる。但し、図１６（Ｂ）のアクションＢ用選択テーブル（冬風景）から「スキーモービルもろとも落ちる」「スキージャンプ失敗で落ちる」「回転しながら落ちる」のいずれかのキャラクタ動作が選択された場合には、図２０（Ｄ−１）、図２０（Ｄ−２）、又は図２０（Ｄ−３）のキャラクタ画像からキャラクタが個々の方法で落ちる画像（図示しない）に切り換え表示する。その結果、中図柄４２に「２」が導出表示されて、−１コマによるハズレ表示がなされる。
【００９７】
また、以上説明した冬背景でのＨＳＪリーチの表示画像において、図１９（Ａ）に示すＨＳＪリーチのスタート画像から図２０（Ｅ）に示すＨＳＪリーチのゴール画像まで（大当りの表示態様）のトータルとしてのリーチ画像表示時間は、前記夏背景と同様に、全種類で同一時間に設定されている。また、アクションＢでキャラクタが落ちてハズレ表示がなされるまでの態様（−２コマはずれの表示態様）、及びアクションＤでキャラクタが落ちてハズレ表示がなされるまでの態様（−１コマはずれの表示態様）についても同様に、それぞれ全種類で同一時間に設定されている。さらには、夏背景と冬背景において、大当りの表示態様、−２コマはずれの表示態様、−１コマはずれの表示態様は、それぞれ同一時間に設定されている。
【００９８】
以上のように、本実施形態の構成によれば、表示状態が変化可能な可変表示装置としての特別図柄表示装置４と、該特別図柄表示装置４の表示状態を制御する表示制御手段としての表示制御部１３と、遊技の進行を制御する遊技制御手段としての遊技制御部１１と、を備えた遊技機としてのパチンコ遊技機１において、前記遊技制御部１１は、予め定めた可変表示条件の成立に基づいて前記特別図柄表示装置４の可変表示態様を決定すると共に、決定された可変表示態様を指定するためのコマンド（“８０Ｈ０３Ｈ”“８０Ｈ０４Ｈ”“８０Ｈ０５Ｈ”）を前記表示制御部１３へ送信可能な構成であり、前記表示制御部１３は、前記遊技制御部１１から所定の前記コマンドを受信した場合に、そのコマンドに対応して予め設定された複数種類の背景画像（夏背景、冬背景）のうち前記特別図柄表示装置４に表示させる背景画像の種類を選択すると共に、所定の背景画像が選択された場合に該背景画像に対応して設定された複数種類のキャラクタ画像のうち前記特別図柄表示装置４に表示させるキャラクタ画像の種類を選択し、選択された背景画像およびキャラクタ画像を前記特別図柄表示装置４に表示させることを特徴とする。このように構成することにより、遊技制御部１１から表示制御部１３に送信される所定のコマンドに対して、背景画像とキャラクタ画像とを様々な種類で組み合わせた複数種類の演出画像を表示させることができ、ひいては遊技制御部１１の制御負担を軽減しつつ、多彩な演出画像を表示することができる。
【００９９】
また、前記表示制御部１３は、複数種類の可変表示態様において、一の前記背景画像の少なくとも一部を共通に使用可能であることを特徴とする。このように構成することにより、表示制御部１３の制御負担を軽減することができ、背景画像に対して統一感を持たせることができる。
【０１００】
また、前記表示制御部１３は、複数種類の可変表示態様において、一の前記キャラクタ画像の少なくとも一部を共通に使用可能であることを特徴とする。このように構成することにより、表示制御部１３の制御負担を軽減することができ、キャラクタ画像に対して統一感を持たせることができる。
【０１０１】
また、前記特別図柄表示装置４は、複数種類の識別情報としての特別図柄の可変表示を行った後に表示結果を導出し、前記表示制御部１３は、前記特別図柄の表示状態がリーチ状態となったことを契機として、選択された背景画像とキャラクタ画像とを用いたリーチ演出表示制御を行うことを特徴とする。このように構成することにより、背景画像とキャラクタ画像との組み合わせが多岐にわたり、様々な態様でリーチ演出を実行することができる。
【０１０２】
また、前記コマンドは、前記可変表示態様の可変表示時間を特定可能な情報を含むことを特徴とする。このように構成することにより、遊技制御部１１側で可変表示態様の可変表示時間を特定する構成となるので、遊技制御部１１と表示制御部１３との動作上のズレを防止することができる。
【０１０３】
なお、上記した実施形態は、本発明を限定するものではなく、本発明の範囲内で種々の変更が可能である。例えば、複数種類から背景画像あるいはキャラクタ画像を選択するための各種選択テーブルの振り分けは、実施形態中に記載のものに限定しない。但し、実施形態中の構成によれば、前記図１４（Ａ）〜（Ｃ）の背景画像選択テーブルから分るように、はずれとなる場合は夏背景が選択され易く、大当りとなる場合は冬背景が選択され易いようになっている。このため、背景画像の種類によって大当りへの期待感を異ならせることができ、遊技の興趣を向上するようになっている。
【０１０４】
また、実施形態中では、１つのコマンドデータに対して選択された背景画像及びキャラクタ画像からなる演出画像をリーチ演出用の画像として例示しているが、この構成に限定するものではない。例えば、大当り終了後あるいは大当りを確定表示して特定遊技状態が開始される前に、前記実施形態と同様の演出画像（ＨＳＪリーチの演出画像）を表示するようにしてもよい。そして、その演出画像においてキャラクタが無事にゴールしたか否かによって、その後の特定遊技状態の発生確率を高確率とする（確率変動に移行する）か否かの決定を演出表示するようにしてもよい。即ち、特定遊技状態の発生に伴ってその後の特定遊技状態の発生確率を高確率にするか否かを決定すると共に、前記表示制御部１３は、前記特定遊技状態の発生確率の決定結果を遊技者に報知するための演出表示を行う際に選択された背景画像と選択されたキャラクタ画像とを用いた演出表示制御を行うことを特徴とする。このように構成することにより、背景画像とキャラクタ画像との組み合わせが多岐にわたり、高確率への期待感を様々な態様で演出することができる。
【０１０５】
また、上記した確率変動の有無を決定する構成としては、通常、特定遊技状態の発生の有無を決定する乱数抽出時に遊技制御手段内部で同時に決定するようになっているが、このような構成において、大当り図柄の種類（例えば、「７」図柄で揃った大当り図柄）によって確率変動を行うことを決定するようにしていもよい。また、この場合に、前記演出画像（ＨＳＪリーチの演出画像）を表示制御して遊技を演出するようにしてもよいことは言うまでもない。さらに、演出画像の表示制御は、リーチ時や確率変動の決定時に限定するものではなく、例えば、遊技者が遊技していない状態で表示するデモ画像として表示したり、大当り中の演出画像として表示するようにしてもよい。こうすることで、視覚的な興趣に富んだ遊技機を構成することが可能になる。
【０１０６】
また、本発明に係る識別情報とは、例えば、数字、文字、絵柄等により表現されるものであり、これら数字、文字、絵柄等の組み合わせによって表現されるものを本発明の識別情報としてもよい。一方、実施形態中でいうキャラクタとは、例えば、人、動物、植物、自動車等の物品あるいは想像上のものであり、これらの人や動物等をモチーフとして表現されたもの等、表現可能なあらゆるものが含まれる。なお、ここでいう識別情報とキャラクタとの相違は、その表示結果によって所定の遊技価値を付与し得るか否かにある。
【０１０７】
また、本発明に係るリーチ状態とは、可変表示装置において最終停止図柄（例えば、左・中・右の図柄のうち中図柄）となる図柄以外の図柄が、所定時間継続して特定表示態様と一致している状態で停止、揺動、拡大縮小もしくは変形している状態、または、複数の図柄が同一図柄で同期して変動したり、表示図柄の位置が入れ替わっていたりして、最終結果が表示される前で大当り発生の可能性が継続している状態のことであり、このリーチ状態において行われる演出をリーチ演出という。また、リーチ演出を含む可変表示をリーチ可変表示という。なお、可変表示としては、スクロール、コマ送り、捲り、切替表示、あるいは回転表示等を含む。また、導出とは、表示結果を遊技者に視認可能な状態で表示することであり、確定表示や仮停止等を含む。
【符号の説明】
【０１０８】
１  パチンコ遊技機（遊技機）
２  遊技盤
４  特別図柄表示装置（可変表示装置）
１１  遊技制御部（遊技制御手段）
１３  表示制御部（表示制御手段）
【図１】
2010119878.tif 000003
【図２】
2010119878.tif 000004
【図３】
2010119878.tif 000005
【図４】
2010119878.tif 000006
【図５】
2010119878.tif 000007
【図６】
2010119878.tif 000008
【図７】
2010119878.tif 000009
【図８】
2010119878.tif 000010
【図９】
2010119878.tif 000011
【図１０】
2010119878.tif 000012
【図１１】
2010119878.tif 000013
【図１２】
2010119878.tif 000014
【図１３】
2010119878.tif 000015
【図１４】
2010119878.tif 000016
【図１５】
2010119878.tif 000017
【図１６】
2010119878.tif 000018
【図１７】
2010119878.tif 000019
【図１８】
2010119878.tif 000020
【図１９】
2010119878.tif 000021
【図２０】
2010119878.tif 000022
【図２１】
2010119878.tif 000023